(57)【要約】【課題】操作者にとってより操作性の良い画像編集装置及び画像編集方法を提供すること。【解決手段】本発明にかかる画像編集装置１は、罫線パターンと帳票の種類とを対応付けて記録していて、かつ、帳票毎に文字があるかないかの判定基準を与えるための必ず記載がある基準範囲と、切り出し対象となる切出し範囲と、を登録している帳票登録部１４１と、原稿の画像データから、罫線を検出する罫線検出部１４２と、罫線検出部１４２が検出した罫線情報と、帳票登録部に登録している罫線パターンと、に基づいて、原稿の帳票の種類を推定する帳票推定部１４３と、基準範囲の黒画素数と、切出範囲の黒画素数と、に基づいて、切り出し範囲に記載があるか否か判定する記載有無判定部１４４と、切り出し範囲に記載がある場合には、その範囲に、所定画像を上書きする上書き部１４５と、を備えるものである。【選択図】図２
2013238962.tif 000002
【特許請求の範囲】
【請求項１】
罫線パターンと帳票の種類とを対応付けて記録していて、かつ、帳票毎に文字があるかないかの判定基準を与えるための必ず記載がある基準範囲と、切り出し対象となる切出し範囲と、を登録している帳票登録部と、
原稿の画像データから、罫線を検出する罫線検出部と、
前記罫線検出部が検出した罫線情報と、前記帳票登録部に登録している罫線パターンと、に基づいて、原稿の帳票の種類を推定する帳票推定部と、
基準範囲の黒画素数と、切出範囲の黒画素数と、に基づいて、切り出し範囲に記載があるか否か判定する記載有無判定部と、
切り出し範囲に記載がある場合には、その範囲に、所定画像を上書きする上書き部とを備える画像編集装置。
【請求項２】
前記記載有無判定部は、切出範囲の黒画素数が、基準範囲の黒画素数に対して、所定の割合以上であった場合、切り出し範囲に記載があると判定する、請求項１記載の画像編集装置。
【請求項３】
前記上書き部は、切り出し範囲に所定画像を上書きするのに加えて、さらに、前記帳票推定部の推定した原稿の種類に応じた認証文を、原稿の画像データに上書きする請求項１又は２記載の画像編集装置。
【請求項４】
原稿の画像データから、罫線検出部が原稿の罫線を検出し、
罫線検出部が検出した罫線の情報である罫線情報と、帳票登録部に登録された罫線パターンと、に基づいて、帳票推定部が画像データの帳票の種類を推定し、
帳票毎に文字があるかないかの判定基準を与えるための必ず記載がある基準範囲の黒画素数と、切り出し対象となる切出範囲の黒画素数と、に基づいて、切り出し範囲に記載があるか否か、記載有無判定部が判定し、
切り出し範囲に記載がある場合には、上書き部がその範囲に所定画像を上書きする、画像編集方法。
【請求項５】
記載の有無を判定する際、切出範囲の黒画素数が、基準範囲の黒画素数に対して、所定の割合以上であった場合、切り出し範囲に記載があると判定する、請求項４記載の画像編集方法。
【請求項６】
原稿の画像データに所定画像を上書きする際、さらに、推定した原稿の種類に応じた認証文を、原稿の画像データに上書きする請求項４又は５記載の画像編集装置。
【発明の詳細な説明】
【技術分野】
【０００１】
本発明は画像編集装置及び画像編集方法に関する。例えば、画像中の特定領域を自動認識して、その特定領域に所定の処理を施す画像編集装置及び画像編集方法に関する。
【背景技術】
【０００２】
例えば地方自治体などで、戸籍謄抄本や住民票などの各種証明書を発行する証明書発行装置として、読取装置によって原稿を読み取り、氏名欄等、特定の範囲をマスクする編集を行う画像編集装置が知られている。
【０００３】
このような画像編集装置では、特に証明書を作成する際、画像の切り出し範囲を指定する手段として、以下の２つの方法が実用化されている。
【０００４】
第１の方法は、操作者自身が原稿に対して切り出し範囲を直接指定する、または、装置を介して画面上に表示された映像に対して、切り出し範囲を間接的に指定する、手動編集方法である。この方法では、操作性を向上するために、原稿の指定範囲を指定する指定手段を工夫することで、原稿に対して安定した画像を得ることが可能である。
【０００５】
具体的には、操作者は、原稿台の縁に沿って移動可能なマーカにより、指定範囲をマークするか、原稿にマークを直接記入することにより、切り出し範囲を指定する。装置は、マークを検出して、指定された範囲の原稿を切り出す。
【０００６】
また、原稿の切り出し範囲の指定には、例えば、マーカがセット可能な専用のキャリアシートや、原稿カセットなどを用いる方法がある。また、原稿には切り出し範囲を指定せず、スキャンした原稿をディスプレイなどに表示して、ライトペンやマウスなどの入力装置を用いて、原稿の切り出し範囲を指定する方法がある。
【０００７】
特許文献１（特開２０１１−１８１０４３号公報）には、生成された位置情報の系列から、ペン装置の筆跡を検出し、検出した筆跡の形態に応じて、筆跡位置の文字又は図形を訂正し、データを更新する技術が記載されている。
【０００８】
第２の方法は、操作者が切り出し位置を指定することなく、装置が原稿の切り出し位置を検出する、自動編集方法である。
【０００９】
特許文献２（特開２０１１−６５２７０号公報）には、出力対象として指定された文字列に含まれる各文字について、所定の評価基準に従って、マスク化しない文字列を選定して、文字列をマスク化する技術が記載されている。
【先行技術文献】
【特許文献】
【００１０】
【特許文献１】特開２０１１−１８１０４３号公報
【特許文献２】特開２０１１−６５２７０号公報
【発明の概要】
【発明が解決しようとする課題】
【００１１】
しかしながら、特許文献１に記載の技術では、編集処理だけを装置が行い、切り出し位置の入力は操作者に依存している。そのため、操作による位置指定や操作手順を誤ると不本意な編集画像を出力してしまうという問題がある。また、位置指定に細心の注意と多大の時間を要し、操作者に与える負担が大きいという問題がある。
【００１２】
また、特許文献２に記載の技術では、マスク化する文字列は、各文字の評価基準に従って選択される。そのため例えば、戸籍謄本などを発行する場合には、文字列が、氏名を指しているか、住所を指しているかの判定はできない。よって、戸籍謄本のように、氏名の部分のみマスクする必要がある場合、正しくマスク化する文字列が選択されない恐れがある。
【００１３】
本発明は、このような問題点を解決するためになされたものであり、操作者にとってより操作性の良い画像編集装置及び画像編集方法を提供することを目的とする。
【課題を解決するための手段】
【００１４】
本発明にかかる画像編集装置は、罫線パターンと帳票の種類とを対応付けて記録していて、かつ、帳票毎に文字があるかないかの判定基準を与えるための必ず記載がある基準範囲と、切り出し対象となる切出し範囲と、を登録している帳票登録部と、原稿の画像データから、罫線を検出する罫線検出部と、罫線検出部が検出した罫線情報と、帳票登録部に登録している罫線パターンと、に基づいて、原稿の帳票の種類を推定する帳票推定部と、基準範囲の黒画素数と、切出範囲の黒画素数と、に基づいて、切り出し範囲に記載があるか否か判定する記載有無判定部と、切り出し範囲に記載がある場合には、その範囲に、所定画像を上書きする上書き部と、上書き部が所定画像を上書きするものである。
【００１５】
本発明にかかる画像編集方法は、原稿の画像データから、罫線検出部が原稿の罫線を検出し、罫線検出部が検出した罫線の情報である罫線情報と、帳票登録部に登録された罫線パターンと、に基づいて、帳票推定部が画像データの帳票の種類を推定し、帳票毎に文字があるかないかの判定基準を与えるための必ず記載がある基準範囲の黒画素数と、切り出し対象となる切出範囲の黒画素数と、に基づいて、切り出し範囲に記載があるか否か、記載有無判定部が判定し、切り出し範囲に記載がある場合には、上書き部がその範囲に所定画像を上書きするものである。
【発明の効果】
【００１６】
本発明によれば、操作者にとって操作性の良い画像編集装置及び画像編集方法を提供することができる。
【図面の簡単な説明】
【００１７】
【図１】実施の形態１にかかる画像編集装置を示す図である。
【図２】実施の形態１にかかる編集部を示す図である。
【図３】実施の形態１にかかる画像編集装置が読み込む原稿を示す図である。
【図４】実施の形態１にかかる帳票の種類と、罫線パターンと、基準範囲及び切出し範囲とまとめたデータベースの一例を示す図である。
【図５】実施の形態１にかかる画像データの罫線番号を示す図である。
【図６】実施の形態１にかかる黒画素数一覧表を示す図である。
【図７】実施の形態１にかかる生成された画像データを示す図である。
【図８】実施の形態１にかかる帳票推定部の処理を示すフローチャートである。
【発明を実施するための形態】
【００１８】
本実施の形態にかかる画像編集装置は、自治体等が戸籍謄本等の帳票を発行する際に利用可能なものであり、編集対象の原稿の種類を推定し、一部を切り取って編集して、出力するものである。
【００１９】
図１は、本実施の形態にかかる画像編集装置１を示す図である。画像編集装置１は、読取部１１と、一時記憶部１２と、制御部１３と、編集部１４と、操作部１５と、表示部１６と、出力部としての印刷部１７および通信部１８と、を有する。
【００２０】
読取部１１は、原稿を読み取り画像データに変換する。そして、画像データを一時記憶部１２に出力する。読取部１１は、具体的にはスキャナー等により構成される。
【００２１】
一時記憶部１２は、入力イメージメモリ１２１と出力イメージメモリ１２２とを有する。入力イメージメモリ１２１は、読取部１１が作成した画像データを一時的に記憶する。出力イメージメモリ１２２は、編集部１４が編集した画像データを一時的に記憶する。
【００２２】
制御部１３は、操作部１５から入力される操作者の操作に基づいて、読取部１１、編集部１４、表示部１６、印刷部１７及び通信部１８を制御する。
【００２３】
編集部１４は、入力イメージメモリ１２１から画像データを読み出し、制御部１３の制御に基づいて編集して、出力イメージメモリ１２２に出力する。
【００２４】
図２は、本実施の形態にかかる編集部１４を示す図である。編集部１４は、帳票登録部１４１と、罫線検出部１４２と、帳票推定部１４３と、記載有無判定部１４４と、上書き部１４５とを有する。
【００２５】
帳票登録部１４１は、罫線パターンと帳票の種類とを対応付けて記録している。さらに、帳票登録部１４１は、帳票毎に、文字があるかないかの判定基準を与えるための必ず記載がある基準範囲と、切り出し対象となる切出し範囲と、を登録している。
【００２６】
図３は、帳票登録部１４１に登録された、帳票の種類と、罫線パターンと、基準範囲及び切出し範囲と、をまとめたデータベースの一例を示す図である。帳票登録部１４１は、図４に示すような罫線パターンと、帳票の種類と、を対応付けて記録している。さらに、帳票毎に文字があるかないかの判定基準を与えるための必ず記載がある基準範囲と、切り出し対象となる切出し範囲と、を登録している。
【００２７】
罫線検出部１４２は、原稿のデータから、罫線を検出する。そして、罫線検出部１４２は、原稿のデータから、罫線を検出して、原稿の罫線情報を生成する。
【００２８】
罫線検出部１４２は、例えば、読取部が原稿を読み取る際の走査方向に対して直角方向に延びる方向に、黒画素数をカウントして、一定数以上黒画素が連続している場合に、それを罫線として検出する。
【００２９】
罫線検出部１４２は、検出した罫線の座標、長さ、各罫線の間の間隔、本数のうちいずれか１以上を罫線情報として、帳票推定部１４３に出力する。ここでは、罫線検出部１４２は、入力イメージメモリ１２１に格納されている画像データの黒画素数を計測して、罫線の座標、長さ、各罫線の間の間隔、及び罫線に囲まれた枠内の黒画素数の情報等を含む、罫線情報を生成する。
【００３０】
帳票推定部１４３は、罫線検出部が検出した、原稿の罫線の情報である罫線情報と、帳票登録部の登録している罫線パターンとに基づいて、原稿の帳票の種類を推定する。
【００３１】
記載有無判定部１４４は、帳票登録部１４１の登録している、帳票毎の基準範囲と切り出し範囲とに基づいて、原稿のデータの基準範囲に対応する領域の黒画素数と、切り出し範囲に対応する領域の黒画素数とを計測する。そして、基準範囲の黒画素数に基づいて、切出範囲に記載があるか否か判定する。
【００３２】
上書き部１４５は、切り出し範囲に記載があると記載有無判定部１４４が判定した場合には、その範囲に、所定画像を上書きする。
【００３３】
編集部１４は、原稿を読み取った画像データから、罫線検出部１４２で罫線を検出し、帳票推定部１４３で検出した罫線の情報に基づいて原稿の種類を推定する。そして、記載有無判定部１４４で原稿の種類ごとに予め設定された基準範囲と、切り出し範囲とに基づき、切り出し範囲に記載があるか否か判定して、上書き部１４５で画像データを編集する。
【００３４】
入力部としての操作部１５は、画像編集装置１を操作する操作者が、操作を画像編集装置１に入力するためのものである。具体的には、スイッチ、マウス、キーボード等で構成され、操作部からの入力は、制御部１３に出力されて、編集部１４を制御すると共に、表示部１６の表示に反映される。
【００３５】
表示部１６は、例えばディスプレイ等である。印刷部１７は、プリンタ等であり、出力イメージメモリ１２２から読み出した画像データを紙等に印刷する。通信部１８は、外部のネットワークと接続され、出力イメージメモリ１２２から出力された画像データを、外部に出力する。
【００３６】
これにより、本実施の形態にかかる画像編集装置１は、例えば自治体等で戸籍謄本等、氏名欄の記載の一部を「謄写省略」等の省略文字に差し替えなくてはならない場合に、操作者が原稿の切り出し範囲を指定しなくても、原稿を編集することができる。また、切り出し範囲に指定されている範囲を、基準範囲に基づいて、記載があるか否か判定するため、切り出し範囲に指定されている欄のうち、記載のある欄のみ切り出すことができる。従って、本実施の形態にかかる画像編集装置１によれば、操作者にとってより快適な画像編集装置を提供することが可能である。
【００３７】
次に、画像編集装置１の動作の流れについて説明する。まず、操作者は、表示部１６に表示される指示に従って、操作部１５より所望の操作を行う。制御部１３は、操作部１５からの入力を受けて、以下の処理を順次実行するように各部を制御する。
【００３８】
読取部１１は、操作者が読取部１１にセットした原稿を読み取り、一時記憶部１２の入力イメージメモリ１２１に格納する。
【００３９】
図４は、本実施の形態において、画像編集装置１が読み込む原稿を示す図である。ここでは、一例として、戸籍謄本を読み込むものとする。戸籍謄本のような証明書を発行する際、個人情報保護法に基づいて、記載されている複数の氏名のうちいくつか（ここでは、氏名５１及び５２）を隠蔽する必要がある。例えば、特定の欄に記載されている氏名を削除し、代わりに「謄写省略」の画像を付加しなければならない場合がある。
【００４０】
罫線検出部１４２は、入力イメージメモリ１２１に格納されている画像データの黒画素数を計測して、罫線情報を生成する。図５は、画像データの罫線番号を示す図である。
【００４１】
罫線検出部１４２は、罫線情報を作成する際、具体的には、図５のように原稿の最終行をＬ０とし、先頭行をＬＸとして、それぞれの縦罫線に順に番号をふる。
【００４２】
また、原稿の最上列をＣ０とし、最下列をＣＸとして、それぞれ横罫線に番号をふる。ここでは、先頭の罫線番号ＬＸ＝Ｌ３４、最下部の罫線番号ＣＸ＝Ｃ３となる。
【００４３】
領域ａ〜ｄは、戸籍謄本の基準範囲と切り出し範囲とを示す図である。本実施の形態の場合、基準範囲は、氏名欄である領域ａであり、切り出し範囲は、夫と妻の氏名が記載され、画像データの余白部分の記載を含めた外枠部分である領域ｂ、ｃ及びｄである。
【００４４】
ここでは、基準範囲となる領域ａは、罫線Ｌ３３、Ｌ３４、Ｃ２及びＣ３に囲まれた範囲である。また、切り出し範囲である領域ｂは、罫線Ｌ２１、Ｌ２６、Ｃ２及びＣ３に囲まれた範囲、領域ｃは、罫線Ｌ１１、Ｌ１５、Ｃ２及びＣ３に囲まれた範囲、領域ｄは、罫線Ｌ２、Ｌ６、Ｃ２及びＣ３に囲まれた範囲である。
【００４５】
図５に示す帳票においては、帳票登録部１４１は、基準範囲である領域ａを、先頭行の最下段として記憶している。さらに、帳票登録部１４１は、原稿の画像データを、選択された縦罫線に沿って、第０欄３０〜第３欄３３の４つに分割している。そして、第１欄３１〜第３欄３３の開始行と終了行とを基準として、開始行から２行後の行から、終了行の３行前の範囲であって、最終段を切り出し範囲として記憶している。
【００４６】
具体的に説明する。本実施の形態では、３３行から２９行を第０欄とし、２８行から１９行を第１欄３１とし、１７行から９行を第２欄３２とし、８行から０行を第３欄３３とする。ここで、第Ｎ欄の開始行及び終了行の行数は、Ｌｓ［Ｎ］、Ｌｅ［Ｎ］と記載するものとする。
【００４７】
第０欄では、開始行及び終了行の行数は、Ｌｓ［０］＝３３及びＬｅ［０］＝２９となる。同様に、第１欄３１〜第３欄３３では、Ｌｓ［１］＝２８及びＬｅ［１］＝１９、Ｌｓ［２］＝１７及びＬｅ［２］＝９、Ｌｓ［３］＝８及びＬｅ［３］＝０となる。
【００４８】
帳票登録部１４１は、第０欄３０〜第３欄３３のＬｓ［Ｎ］及びＬｅ［Ｎ］を記憶している。さらに、切り出し範囲を、第１欄３１〜第３欄３３の、Ｌｓ［Ｎ］＋２〜Ｌｅ［Ｎ］−３の行数の範囲内であって、かつ、最終段の範囲であるとして、記憶している。
【００４９】
罫線検出部１４２は、罫線の番号に基づいて、画像データの行と列毎の黒画素数をまとめた情報を抽出し、行毎の黒画素数一覧表を自動生成する。図６は、黒画素数一覧表を示す図である。各罫線に囲まれた黒画素数は、図６に示すようなテーブルとなる。
【００５０】
帳票推定部１４３は、罫線検出部１４２が生成した罫線情報と、帳票登録部１４１に登録された帳票情報とから、帳票の種類を推定する。そして、検出された罫線情報に基づいて、基準範囲と切り出し範囲とを特定する。
【００５１】
記載有無判定部１４４は、基準範囲の黒画素数に対して、切り出し範囲の黒画素数が一定以上であった場合、その切出し範囲を切出すと判定する。本実施の形態では、氏名欄ａを基準範囲として、切り出し範囲ｂ〜ｄのうちいずれの範囲を切り出すか否か決定する。すなわち、基準範囲の欄内の黒画素数と、領域ｂ〜ｄの黒画素数とを比較し、領域ｂ〜ｄのそれぞれの黒画素数が、基準領域ａの黒画素数に対して一定の割合以上である場合、当該切り出し領域を切り出す。
【００５２】
これは、帳票の特性上、氏名欄の黒画素数と、夫等の名前を書く欄の黒画素数が、ほぼ同じになるためである。これにより、罫線検出時に発生する許容誤差の範囲内で、記載があることを確認した上で、全体の欄構成を踏まえて、欄内を削除することができる。
【００５３】
また、切り出し範囲の汚れや染み、皺など、読取時に白と見なすべき背景部分を、誤って黒と見なした場合でも、基準範囲の黒画素数を基準とするため、切り出し範囲の記載の有無を正しく推定できるようになる。
【００５４】
上書き部１４５は、記載有無判定部１４４が記載有と判定した切出し範囲に、「謄写省略」の文字を記載する。ここで、上書き部１４５は、帳票推定部１４３の推定した帳票の種類に応じた認証文を付加して出力するようにしてもよい。
【００５５】
また、上書き部１４５がデータに画像を上書きする場合、図５の、中央部の空白枠の範囲ｅを検出し、その中央位置である直線Ｏを、出力される画像データのセンターになるように配置した後に画像を付加する。図７は、生成された画像データを示す図である。
【００５６】
次に、操作者は、表示部１６に表示された画像データが、必要な個所が編集されているか否か確認する。必要な個所が編集されていれば、操作部１５を介して、画像編集装置１に、編集済みの画像データの出力を指示する。必要な個所が編集されていなかった場合には、ユーザが操作部１５を操作して、画像データの編集を行う。
【００５７】
編集された画像データは、編集部１４から出力イメージメモリ１２２に格納される。印刷部１７は、出力イメージメモリ１２２に格納されている画像データを取り出して、記録紙に印刷する。通信部１８は、出力イメージメモリ１２２から画像データを取り出し、外部の受信機に送信する。
【００５８】
次に帳票推定部１４３の、帳票の推定処理について、より詳細に説明する。図８は、帳票推定部１４３の処理を示すフローチャートである。帳票推定部１４３は、最終行から順に先頭行に向かって最終行ＬＸになるまで、帳票内の各行毎に、黒画素数を計測して、各氏名欄の黒画素数を算出する。
【００５９】
まず、ステップＳ２０１にて、読み取った画像データが、帳票の１枚目であるかを判断する。もし１枚目であれば（ステップＳ２０１：Ｙｅｓ）、基準範囲となる氏名欄があるため、ステップＳ２０２にて、筆頭者欄の氏名が記載されている黒画素数Ｐｉｘ［ＬＸ−１、ＣＸ−１］を、基準の黒画素数として、内部変数Ｐｉｘ０として保存する。［］は、ここでは行数と段数とを示している。図５に示すように、基準範囲となる領域ａは、３３行目の２段目となることから、［Ｌ３３、Ｃ２］となり、図６の表１に示すように、Ｐｉｘ０＝４４２となる。まず、内部変数Ｌを０に初期化する（ステップＳ２０３）。
【００６０】
内部変数Ｌが、Ｌｓ［Ｎ］＋２、つまり、第１欄３１乃至第３欄３３の最終行である、Ｌｅ［１］＋２、Ｌｅ［２］＋２、及びＬｅ［３］＋２のいずれかであるか否かを判断する（ステップＳ２０４）。内部変数ＬがＬｅ［Ｎ］＋２である場合、第１欄３１〜第３欄３３のいずれかの切り出し範囲、つまり氏名欄と見なして、ステップＳ２０７に移行する（ステップＳ２０４：Ｙｅｓ）。
【００６１】
内部変数Ｌが、各欄のＬｓ［Ｎ］＋２でなかった場合、Ｌを１プラスする（ステップＳ２０５）。次に、現在のＬ行目が先頭行ＬＸでなければ（ステップＳ２０６：Ｎｏ）ステップＳ２０４へ戻って処理を続行し、先頭行である場合は、処理を終了する（ステップＳ２０６：Ｙｅｓ）。
【００６２】
ステップＳ２０４において、内部変数Ｌが各欄の最終行Ｌｅ［Ｎ］＋２である場合、氏名欄の黒画素数を表す内部変数ＰｉｘＮを初期化する（ステップＳ２０７）。そして、氏名欄に対応する、Ｌｅ［Ｎ］＋２行目から、Ｌｓ［Ｎ］−３行目までの黒画素数Ｐｉｘ［Ｌ、ＣＸ−１］を累積加算する（ステップＳ２０８）。
【００６３】
内部変数Ｌが切り出し範囲の先頭に当たるＬｓ［Ｎ］−３になるまで繰り返す（ステップＳ２０９）。これにより氏名欄の総黒画素数を算出することができる。
【００６４】
ここで、本実施の形態にかかる、読み込まれる原稿としての戸籍台帳は、基本構成として、各欄の先頭部分には父母の記載欄が、後端部分には出生日の記載欄がある。それぞれは住所の記載欄とは幅が異なり、基準範囲となる氏名欄は、開始行から＋３、終了行から−２した範囲になる。
【００６５】
従って本実施例では、Ｌｓ［Ｎ］に対して−３、Ｌｅ［Ｎ］に対して＋２の値を付加しているが、これらの調整値は、取り扱う帳票によって変更可能になっていることは言うまでも無い。
【００６６】
次に、切り出し領域の黒画素数ＰｉｘＮを、筆頭者の氏名欄の黒画素数Ｐｉｘ０と比較して、黒画素数ＰｉｘＮがＰｉｘ０以上あれば（ステップＳ２１０：Ｙｅｓ）氏名欄に記載ありと判断し、該当するＮ欄の氏名欄を削除し、謄写省略文字に差し替える（ステップＳ２１１）。黒画素数ＰｉｘＮが、Ｐｉｘ０以上でなければ（ステップＳ２１０：Ｎｏ）、記載なしと判断し、ステップＳ２０５に移行する。
【００６７】
図６の黒画素数一覧表によれば、図４に示す帳票の場合、第３欄３３の場合、Ｎ＝３、Ｌｅ［３］＝０、Ｌｓ[３]＝８であるため、Ｌ＝２〜５が切出し範囲となる。従って、領域ｄの黒画素数、つまり第３欄３３の氏名欄の黒画素数は７９＋５５＋５０＋６１＝２４５となり、基準範囲の黒画素数４４２以下であるため、記載なしと判断される。
【００６８】
次に、第２欄３２の場合、Ｎ＝２、Ｌｅ［２］＝９、Ｌｓ[２]＝１７であるため、Ｌ＝１１〜１４が切出し範囲となる。従って、領域ｃの黒画素数、つまり第２欄３２の氏名欄の黒画素数は１３３＋１４２＋９６＋５７＝４２８となり、基準範囲の黒画素数４４２以上であるため、記載ありと判断される。
【００６９】
最後に、第１欄３１の場合、Ｎ＝１、Ｌｅ［１］＝１９、Ｌｓ[１]＝２８であるため、Ｌ＝２１〜２５が切出し範囲となる。したがって、領域ｂの黒画素数、つまり第１欄３１の氏名欄の黒画素数は２０１＋１６７＋２５０＋１６４＋２４７＝１０３９となり、基準範囲の黒画素数４４２以上であるため、記載ありと判断される。
【００７０】
結果として図７に示すように、１欄及び２欄の氏名欄が謄写省略文字に差し替えた証明書が作成される。
【００７１】
本実施の形態では、判定する切り出し領域が３であるが、領域の数が増えても、対応することが可能である。また、帳票が、除籍謄本や、附票原本等についても同様に適用することができる。
【００７２】
また、本実施の形態においては、帳票推定部１４２で帳票を推定するものであったが、帳票推定部により、帳票の種類が推定できない場合、編集部１４にて画像を編集せず、読み込んだ画像データを表示部１６に表示し、操作部１５により操作者が操作して編集するようにしてもよい。
【００７３】
本実施の形態にかかる画像編集装置は、読み取った原稿の罫線位置関係から帳票の切り出し位置を推定し、記載があるか否か確認して、記載があった場合には、当該記載のある領域のみ切り出して、所定の画像を付加する。そして、編集した画像を画面上に表示して、操作者に最終確認し、必要ならば位置修正を施した上で出力する。
【００７４】
これにより、操作者が手動で画像を編集する必要がなく、より快適に画像を編集することが可能である。
【００７５】
なお、本発明は上記実施の形態に限られたものではなく、趣旨を逸脱しない範囲で適宜変更することが可能である。
【符号の説明】
【００７６】
１  画像編集装置
１１  読取部
１２  一時記憶部
１２１  入力イメージメモリ
１２２  出力イメージメモリ
１３  制御部
１４  編集部
１５  操作部
１６  表示部
１７  印刷部
１８  通信部
１４１  帳票登録部
１４２  罫線検出部
１４３  帳票推定部
１４４  記載有無判定部
１４５  上書き部
【図１】
2013238962.tif 000003
【図２】
2013238962.tif 000004
【図３】
2013238962.tif 000005
【図４】
2013238962.tif 000006
【図５】
2013238962.tif 000007
【図６】
2013238962.tif 000008
【図７】
2013238962.tif 000009
【図８】
2013238962.tif 000010